(57)【特許請求の範囲】
【請求項１】
電子部品実装基板のはんだ接合部の亀裂に対する信頼性評価を行う複合環境試験方法において、
はんだ接合部に初期亀裂が発生するまで、上記電子部品実装基板に対して温度サイクル試験を実施するステップと、
上記温度サイクル試験を行った電子部品実装基板に対して振動試験を実施するステップとを含むことを特徴とする複合環境試験方法。
【請求項２】
上記はんだ接合部の初期亀裂の発生は、シミュレーションによって初期亀裂の発生を予測した結果が格納されているとともに、実際に初期亀裂が発生したときの情報が加えられて更新されているデータベースの初期亀裂発生の予測結果に基づいて決められていることを特徴とする請求項１に記載の複合環境試験方法。
【請求項３】
電子部品実装基板のはんだ接合部の亀裂を検出する故障検出方法において、
はんだ接合部に初期亀裂が発生するまで、上記電子部品実装基板に対して温度サイクル試験を実施するステップと、
上記温度サイクル試験を行った電子部品実装基板に対して振動試験を実施するとともに、該振動試験中に上記はんだ接合部における共振周波数の変化を検出するステップとを含むことを特徴とする故障検出方法。
【請求項４】
上記はんだ接合部の初期亀裂の発生は、シミュレーションによって初期亀裂の発生を予測した結果が格納されているとともに、実際に初期亀裂が発生したときの情報が加えられて更新されているデータベースの初期亀裂発生の予測結果に基づいて決められていることを特徴とする請求項３に記載の故障検出方法。
【請求項５】
上記はんだ接合部における共振周波数の変化は、光、レーザー、静電容量、磁力、過電流、または音波を用いて検出されることを特徴とする請求項３に記載の故障検出方法。
【請求項６】
上記はんだ接合部において検出した共振周波数の変化が連続して示されているデータを取得するステップと、
上記取得したデータを高速フーリエ変換を行って解析するステップと、
上記解析した解析データを統計処理するステップと、
上記統計処理した統計データを、予め蓄積された亀裂情報データと比較して、亀裂の進展時間を予測するステップとをさらに含むことを特徴とする請求項３に記載の故障検出方法。
【請求項７】
温度サイクル試験によりはんだ接合部に初期亀裂が作成された電子部品実装基板に対して実施されている振動試験中に、上記はんだ接合部において検出された共振周波数の変化が連続して示されているデータを取得するステップと、
上記取得したデータを高速フーリエ変換を行って解析するステップと、
上記解析した解析データを統計処理するステップと、
上記統計処理した統計データを、予め蓄積された亀裂情報データと比較して、亀裂の進展時間を予測するステップと、をコンピュータに実行させるための故障検出プログラム。
【請求項８】
請求項７に記載の故障検出プログラムを記録したコンピュータ読み取り可能な記録媒体。
【発明の詳細な説明】
【技術分野】
【０００１】
本発明は、複合環境試験方法、故障検出方法、故障検出プログラム、および故障検出プログラムを記録した記録媒体に関するものであり、特に、電気電子機器に搭載されている電子部品実装基板のはんだ接合部に対する信頼性評価技術に関するものである。
【背景技術】
【０００２】
一般的に、電気電子機器は回路基板を搭載しており、その回路基板には、該機器の用途に応じた非常に多くの電子部品がはんだを用いて実装されている。はんだ接合部は、回路基板とはんだとの熱膨張係数の違いにより歪みが生じやすいため、使用環境の影響を受けダメージを受け易いことが知られている。例えば、近年の電気電子機器の情報処理能力の増大による機器内部の発熱により、はんだ接合部は熱疲労によるダメージを受け易くなっている。
【０００３】
よって、使用環境での信頼性を保証する電気電子機器を提供するために、はんだ接合部の信頼性を保証することが重要となっている。特に、需要が増加している車載用電子機器は、様々なストレス（高温、多湿、寒冷、および振動など）を受ける環境で使用される。車載用電子機器でのはんだ接合部のダメージは、人体に危害を与える可能性が高いので、はんだ接合部には高い信頼性が求められる。
【０００４】
はんだ接合部に亀裂が発生した場合、亀裂が進んだ結果、破断に至ることは絶対に許されないが、初期亀裂であって導電可能な状態が維持されていれば、使用上問題は無い。むしろ、亀裂の発生を完全に防止することは現状不可能である。そこで、亀裂の進展を評価する信頼性評価が実施されている。
【０００５】
上記信頼性評価は、例えば、温度サイクル試験および振動試験などの環境試験を利用して実施される。温度サイクル試験の寿命評価には、塑性ひずみ量が用いられることが多い。振動試験においても、例えば特許文献１に、有限要素法解析を用い塑性ひずみ量が最大となる箇所を特定し、塑性ひずみ量を用いて寿命評価する技術が記載されている。
【０００６】
また、上記信頼性評価では、単体の環境試験だけではなく、温度サイクル試験と振動試験とを組み合わせた複合環境試験も実施されている。この複合環境試験にて実製品を用いて評価する場合、試験中に亀裂による故障箇所を早期に検出するために、はんだ接合部の電気抵抗を測定する電気抵抗測定などが行われている。
【特許文献１】古澤剛士、外６名、「熱ストレスを考慮した振動負荷の累積損傷評価」、第１２回エレクトロニクスにおけるマイクロ接合・実装技術シンポジウム論文集、Mate２００６、pp.２５５−２７０
【発明の開示】
【発明が解決しようとする課題】
【０００７】
ところが、従来の複合環境試験では、温度サイクル試験と振動試験とが混合状態で実施されることが多いので、温度サイクル負荷と振動負荷とが互いに及ぼす影響や、ストレス累積の影響などが不明確となっている。上記特許文献１では、温度サイクル負荷をかけた後に振動負荷を加える試験を行い、温度サイクル負荷が振動負荷寿命に与える影響について検討してはいるが、解明するに至っていない。それゆえ、複合環境試験のメカニズムはよく知られておらず、効果的な試験方法が得られていない。よって、従来の複合環境試験は再現性に乏しいため、当該複合環境試験により実施した信頼性評価は精度が低いという問題点を有している。
【０００８】
また、従来の複合環境試験では、装置構造の理由から、恒温槽にて温度サイクル試験を実施するため、温度変化率が遅く、サイクルあたりの必要時間が長い。さらに、実製品を用いて評価する場合、実製品には内部電気回路があるため、抵抗値の計測が困難であることが多い。
【０００９】
本発明は、上記従来の問題点に鑑みなされたものであって、その目的は、再現性が高い複合環境試験方法を提供するとともに、再現性が高い複合環境試験を実施し、かつ簡単な計測で、高精度の信頼性評価を行うことができる故障検出方法、故障検出プログラム、および故障検出プログラムを記録した記録媒体を提供することにある。
【課題を解決するための手段】
【００１０】
本発明の複合環境試験方法は、上記課題を解決するために、電子部品実装基板のはんだ接合部の亀裂に対する信頼性評価を行う複合環境試験方法において、はんだ接合部に初期亀裂が発生するまで、上記電子部品実装基板に対して温度サイクル試験を実施するステップと、上記温度サイクル試験を行った電子部品実装基板に対して振動試験を実施するステップとを含むことを特徴としている。
【００１１】
上記の方法によれば、初期亀裂の発生段階までは温度サイクル負荷の影響を受けて、はんだ接合部に熱疲労による亀裂が発生し、初期亀裂が発生した後は振動負荷の影響を受けて、はんだ接合部では亀裂が進展する。よって、従来の複合環境試験方法のように温度サイクル試験と振動試験とを混合する場合に比べて、故障メカニズムが明解で、高い再現性を実現することが可能となる。
【００１２】
また、従来の複合環境試験では、温度サイクル負荷と振動負荷とを同時に与えるために、装置構造の理由から、恒温槽にて温度サイクル試験を行っていた。このため、温度変化率が遅く、サイクルあたりの必要時間が長かった。
【００１３】
これに対し、上記の方法によれば、最初に初期亀裂が発生するまでは温度サイクル試験のみを実施し、次に初期亀裂が発生した後は振動試験のみを実施していることにより、温度サイクル試験と振動試験とを分離しているので、温度サイクル試験を専用器で行うことが可能となり、試験時間を短縮することが可能となる。
【００１４】
また、はんだ接合部に亀裂を発生させるためには、振動負荷を与えるよりも、温度サイクル負荷を与える方が効果が大きい。これは、温度サイクル負荷がはんだ接合部に与えるひずみ量が大きいためである。それゆえ、初期亀裂が発生するまでの間は温度サイクル試験のみを実施することにより、効率良く、はんだ接合部に初期亀裂を発生させることが可能となる。
【００１５】
さらに、初期亀裂の発生後は、はんだ接合部は機械構造的に不安定（片持ち梁のような状態）になっているので、共振点での振幅が大きくなる。それゆえ、振動試験のみを実施することにより、効率良く、亀裂を進展させることが可能となっている。つまりは、はんだ接合部に初期亀裂を与え、弱点をもたせた後に振動試験を行うことが、結果的に時間短縮につながっている。
【００１６】
したがって、本発明の複合環境試験方法では、必要最短時間、すなわち従来の試験時間よりも短い時間で、はんだ接合部の亀裂に対する信頼性評価を行うことが可能となる。
【００１７】
また、本発明の複合環境試験方法は、上記はんだ接合部の初期亀裂の発生は、シミュレーションによって初期亀裂の発生を予測した結果が格納されているとともに、実際に初期亀裂が発生したときの情報が加えられて更新されているデータベースの初期亀裂発生の予測結果に基づいて決められていることが好ましい。
【００１８】
上記の構成によれば、初期亀裂発生の判断基準となるデータベースは、実際に初期亀裂が発生したときの情報が加えられて更新されているので、予測精度が高い。よって、使用実績が高いほど、判断レベルを向上させることが可能となる。
【００１９】
本発明の故障検出方法は、上記課題を解決するために、電子部品実装基板のはんだ接合部の亀裂を検出する故障検出方法において、はんだ接合部に初期亀裂が発生するまで、上記電子部品実装基板に対して温度サイクル試験を実施するステップと、上記温度サイクル試験を行った電子部品実装基板に対して振動試験を実施するとともに、該振動試験中に上記はんだ接合部における共振周波数の変化を検出するステップとを含むことを特徴としている。
【００２０】
上記の方法によれば、温度サイクル試験によりはんだ接合部に作成された初期亀裂は、振動試験が実施されることによって徐々に進展する。このため、亀裂を有するはんだ接合部は機械構造的に不安定（片持ち梁のような状態）になり、はんだ接合部の共振点のみが次第に低下し、周囲との共振点の違いが鮮明になってくる。これにより、共振周波数の変化を検出するという簡単な計測で、はんだ接合部における亀裂の発生部位を容易に検出することが可能となる。
【００２１】
また、上記の方法によれば、初期亀裂の発生段階までは温度サイクル負荷の影響を受けて、はんだ接合部に熱疲労による亀裂が発生し、初期亀裂が発生した後は振動負荷の影響を受けて、はんだ接合部では亀裂が進展する。よって、従来の複合環境試験のように温度サイクル試験と振動試験とを混合する場合に比べて、故障メカニズムが明解で、高い再現性を実現することが可能となる。
【００２２】
したがって、本発明の故障検出方法では、再現性が高い複合環境試験を実施しながら、はんだ接合部における亀裂の発生部位を検出することになるので、高精度の信頼性評価を行うことが可能となる。
【００２３】
また、上記の方法によれば、温度サイクル試験と振動試験とを分離しているので、温度サイクル試験を専用器で行うことが可能となり、温度サイクル試験と振動試験と同時に実施する従来の複合環境試験に比べて、試験時間を短縮することが可能となる。
【００２４】
さらに、初期亀裂が発生するまでの間は、はんだ接合部に亀裂を発生させ易い温度サイクル試験のみを実施することにより、効率良く、はんだ接合部に初期亀裂を発生させるとともに、はんだ接合部に初期亀裂を与えた後は、亀裂を進展させ易い振動試験のみを実施することにより、効率良く、亀裂を進展させることが可能となる。これにより、結果的に時間短縮につながっている。
【００２５】
したがって、本発明の故障検出方法では、試験中に共振周波数の変化を検出しているので、進展する亀裂をタイムリーに検出するとともに、必要最短時間、すなわち従来の試験時間よりも短い時間で、はんだ接合部の亀裂に対する信頼性評価を行うことが可能となる。
【００２６】
また、本発明の故障検出方法は、上記はんだ接合部の初期亀裂の発生は、シミュレーションによって初期亀裂の発生を予測した結果が格納されているとともに、実際に初期亀裂が発生したときの情報が加えられて更新されているデータベースの初期亀裂発生の予測結果に基づいて決められていることが好ましい。
【００２７】
上記の構成によれば、初期亀裂発生の判断基準となるデータベースは、実際に初期亀裂が発生したときの情報が加えられて更新されているので、予測精度が高い。よって、使用実績が高いほど、判断レベルを向上させることが可能となる。
【００２８】
また、上記はんだ接合部における共振周波数の変化は、光、レーザー、静電容量、磁力、過電流、または音波を用いて検出されることが好ましい。上記の方法によれば、共振周波数の変化の検出が非接触方法で行われるので、電子部品実装基板に物理的ダメージを与えることはなく、実製品に対しても容易に計測することが可能となる。また特に、音波を用いる場合は、共振周波数の変化の検出を走査することなく行うことが可能である。
【００２９】
また、本発明の故障検出方法は、上記はんだ接合部において検出した共振周波数の変化が連続して示されているデータを取得するステップと、上記取得したデータを高速フーリエ変換を行って解析するステップと、上記解析した解析データを統計処理するステップと、上記統計処理した統計データを、予め蓄積された亀裂情報データと比較して、亀裂の進展時間を予測するステップとをさらに含むことが好ましい。
【００３０】
上記の方法によれば、得られた亀裂進展時間の予測結果は、再現性が高い複合環境試験中に亀裂発生部位を高精度で検出して取得したデータに基づいて算出されている。それゆえ、予測した亀裂進展時間（予測寿命）の精度を向上するとともに、優れた信頼性を実現することが可能となる。また、亀裂進展時間を予測することにより、亀裂の進展が早期の段階で、故障を検出することが可能となる。
【００３１】
本発明の故障検出プログラムは、温度サイクル試験によりはんだ接合部に初期亀裂が作成された電子部品実装基板に対して実施されている振動試験中に、上記はんだ接合部において検出された共振周波数の変化が連続して示されているデータを取得するステップと、上記取得したデータを高速フーリエ変換を行って解析するステップと、上記解析した解析データを統計処理するステップと、上記統計処理した統計データを、予め蓄積された亀裂情報データと比較して、亀裂の進展時間を予測するステップと、をコンピュータに実行させることを特徴としている。
【００３２】
上記の構成によれば、上記プログラムによって、上記故障検出方法をコンピュータ上で実行することが可能となる。
【００３３】
本発明の記録媒体は、上記故障検出プログラムをコンピュータ読み取り可能に記録していることを特徴としている。
【００３４】
上記の構成によれば、上記記録媒体から読み出された故障検出プログラムによって、上記故障検出方法をコンピュータ上で実現することが可能となる。
【発明の効果】
【００３５】
以上のように、本発明の複合環境試験方法は、はんだ接合部に初期亀裂が発生するまで、電子部品実装基板に対して温度サイクル試験を実施するステップと、上記温度サイクル試験を行った電子部品実装基板に対して振動試験を実施するステップとを含む方法である。
【００３６】
それゆえ、初期亀裂の発生段階までは温度サイクル負荷の影響を受けて、はんだ接合部に熱疲労による亀裂が発生し、初期亀裂が発生した後は振動負荷の影響を受けて、はんだ接合部では亀裂が進展する。よって、従来の複合環境試験方法のように温度サイクル試験と振動試験とを混合する場合に比べて、故障メカニズムが明解で、高い再現性を実現することができるという効果を奏する。
【００３７】
さらに、温度サイクル試験と振動試験とを分離して順番に実施することにより、各試験を専用器で行いながら、初期亀裂を効率良く発生させるとともに、亀裂を効率よく進展させることができる。よって、本発明の複合環境試験方法では、必要最短時間、すなわち従来必要な試験時間よりも短い時間で、はんだ接合部の亀裂に対する信頼性評価を行うことができるという効果を併せて奏する。
【００３８】
また、本発明の故障検出方法は、はんだ接合部に初期亀裂が発生するまで、電子部品実装基板に対して温度サイクル試験を実施するステップと、上記温度サイクル試験を行った電子部品実装基板に対して振動試験を実施するとともに、該振動試験中に上記はんだ接合部における共振周波数の変化を検出するステップとを含む方法である。
【００３９】
それゆえ、温度サイクル試験によりはんだ接合部に作成された初期亀裂は、振動試験が実施されることによって徐々に進展するため、亀裂を有するはんだ接合部は機械構造的に不安定になり、はんだ接合部の共振点のみが次第に低下し、周囲との共振点の違いが鮮明になってくる。これにより、共振周波数の変化を検出するという簡単な計測で、はんだ接合部における亀裂の発生部位を容易に検出することができる。
【００４０】
また、初期亀裂の発生段階までは温度サイクル負荷の影響を受けて、はんだ接合部に熱疲労による亀裂が発生し、初期亀裂が発生した後は振動負荷の影響を受けて、はんだ接合部では亀裂が進展する。よって、従来の複合環境試験のように温度サイクル試験と振動試験とを混合する場合に比べて、故障メカニズムが明解で、高い再現性を実現することができる。
【００４１】
したがって、再現性が高い複合環境試験を実施しながら、はんだ接合部における亀裂の発生部位を検出することになるので、高精度の信頼性評価を行うことができる故障検出方法を提供するという効果を奏する。
【００４２】
さらに、温度サイクル試験と振動試験とを分離して順番に実施することにより、各試験を専用器で行いながら、初期亀裂を効率良く発生させるとともに、亀裂を効率よく進展させることができる。よって、本発明の故障検出方法では、試験中に共振周波数の変化を検出しているので、進展する亀裂をタイムリーに検出するとともに、必要最短時間、すなわち従来必要な試験時間よりも短い時間で、はんだ接合部の亀裂に対する信頼性評価を行うことができるという効果を併せて奏する。
【００４３】
また、本発明の故障検出プログラムは、温度サイクル試験によりはんだ接合部に初期亀裂が作成された電子部品実装基板に対して実施されている振動試験中に、上記はんだ接合部において検出された共振周波数の変化が連続して示されているデータを取得するステップと、上記取得したデータを高速フーリエ変換を行って解析するステップと、上記解析した解析データを統計処理するステップと、上記統計処理した統計データを、予め蓄積された亀裂情報データと比較して、亀裂の進展時間を予測するステップと、をコンピュータに実行させる構成である。
【００４４】
それゆえ、上記プログラムによって、上記故障検出方法をコンピュータ上で実行することができるという効果を奏する。
【００４５】
また、本発明の記録媒体は、上記故障検出プログラムをコンピュータ読み取り可能に記録した構成である。
【００４６】
それゆえ、上記記録媒体から読み出された故障検出プログラムによって、上記故障検出方法をコンピュータ上で実現することができるという効果を奏する。
【発明を実施するための最良の形態】
【００４７】
本発明の一実施形態について図面に基づいて説明すれば、以下の通りである。
【００４８】
（被試験対象物の構成）
本実施の形態の複合環境試験（複合環境試験方法）は、電気電子機器に搭載される回路基板であって、電子部品がはんだを用いて接合されている回路基板（電子部品実装基板）を被試験対象物とし、この回路基板のはんだ接合部の亀裂に対する信頼性評価を行う試験である。電気電子機器としては、例えば車載用や、家庭用、移動用などのものがあり、その用途に応じて、回路基板には複数の電子部品が接合されている。また、本実施の形態の複合環境試験では、被試験対象物に実製品を用いることにより、試験結果の信頼性を向上させている。
【００４９】
図１は、本実施の形態の被試験対象物として用いるプリント基板１１の一構成例を示す断面図である。
【００５０】
図１に示すように、プリント基板１１は、チップ抵抗１２がはんだ（接合後、はんだ接合部１３となる）を用いて接合されている。詳細には、プリント基板１１には配線パターン（図示せず）が形成されており、該配線パターンとチップ抵抗１２の端子（図示せず）とがはんだを用いて接合されている。なお、図１ではチップ抵抗１２のみが図示されているが、プリント基板１１には他の電子部品が複数接合されていてもよい。他の電子部品としては、例えば、チップコンデンサや、トランジスタ、表面実装型ＩＣなどがあり、リード端子を有する電子部品にも適用できる。
【００５１】
はんだとしては、共晶はんだ（Ｓｎ−３６Ｐｂ）または鉛フリーはんだ（Ｓｎ−３Ａｇ−０．５Ｃｕ）が用いられる。ここで、プリント基板１１にチップ抵抗１２を接合した後の固化したはんだを、はんだ接合部１３と呼ぶこととする。
【００５２】
（信頼性評価方法）
図２は、本実施の形態の複合環境試験の処理フローを示すフローチャートである。
【００５３】
図２に示すように、本実施の形態の複合環境試験では、プリント基板１１に対して、はんだ接合部１３に初期亀裂が発生するまで温度サイクル試験を実施し（ステップＳ１）、その次に、はんだ接合部１３に初期亀裂が発生したプリント基板１１に対して、振動試験を実施する（ステップＳ２）。以下では、上記複合環境試験を実施し、振動試験中に（すなわち図２のステップＳ２において）、はんだ接合部１３における共振周波数の変化を検出して信頼性評価を行う方法（故障検出方法）を例に挙げて説明する。
【００５４】
まず、被試験対象物であるプリント基板１１を、温度サイクル試験専用機器（例えば、エスペック製ＴＳＡ−７１Ｓ）に設置する。そして、試験開始を指示することにより（例えば、スタートボタンを押下することにより）、温度サイクル試験専用機器を起動させる。温度サイクル試験専用機器は、予め設定された試験条件に基づいて動作した後、停止する。
【００５５】
上記試験条件は、プリント基板１１のはんだ接合部１３に初期亀裂が発生するまで温度サイクル試験が実施されるように設定される（例えば、温度：１２６℃／−４０℃、時間：各１５分（温度変化５分、保持時間１０分）、サイクル数：５００、など）。
【００５６】
この試験条件の設定方法としては、例えば、特開２００５−２６２５０号公報（平成１７年１月２７日公開）に記載のシミュレーション方法などに基づき、初期亀裂の発生が推定された結果が格納されているとともに、実際に初期亀裂が発生したときの過去に取得した試験データが加えられて更新されているデータベースを用いて設定する方法がある。具体的には、はんだ接合部１３の物理パラメータを入力して、はんだ接合部１３に発生する亀裂をシミュレーションする。そして、このシミュレーション結果に、過去に実際に初期亀裂が発生したときに取得した試験データを加えてデータベース化する。なお、新たに試験データを取得すれば、その都度データベースを更新する。そして、このデータベースの初期亀裂発生の予測結果を参照して、はんだ接合部１３に初期亀裂が発生する条件を特定する。そして、この特定した条件に基づいて、熱負荷を与える温度、時間、およびサイクル数などを設定する。
【００５７】
このようにして試験条件を適正に設定することにより、はんだ接合部１３に初期亀裂が発生するまで温度サイクル試験を実施している。なお、シミュレーションの精度（信頼性）を確認するために、温度サイクル試験を終えたはんだ接合部１３の断面を観察して、亀裂進展レベルを確認してもよい。
【００５８】
温度サイクル試験を終了した後は、プリント基板１１を温度サイクル試験専用機器から取り出す。そして、振動試験に移行する。この移行プロセスでは、例えば、被試験対象物の取り外し・取り付けが自動化されているロボット搬送システムなどによって、温度サイクル試験から振動試験に自動的に移行する。
【００５９】
図３は、温度サイクル試験を経たプリント基板１１を、加振器２１に設置した状態を示す図である。
【００６０】
振動試験では、図３に示すように、プリント基板１１に振動負荷を与える加振器（振動器）２１と、プリント基板１１を加振器２１の上に設置した際、該プリント基板１１の上方に位置するレーザー変位計２２と、レーザー変位計２２を保持するレール２３とが使用される。
【００６１】
まず、温度サイクル試験を経たプリント基板１１、すなわちはんだ接合部１３に初期亀裂（亀裂１４）が生じているプリント基板１１を、加振器２１（例えば、エスペック製ＢＶＳ−０８−１０−１０）に設置する。そして、試験開始を指示することにより（例えば、スタートボタンを押下することにより）、加振器２１を起動させる。加振器２１は、予め設定された試験条件に基づいて動作する。
【００６２】
上記試験条件は、はんだ接合部１３の亀裂１４を進展させるように設定される（例えば、加振力：１０ｋＮ、最大加速度：９０９ｍ／ｓ２、最大変位：５１ｍｍ、振動数範囲：３〜２０００Ｈｚ、など）。
【００６３】
一方、加振器２１を動作させた直後、レーザー変位計２２およびレール２３を起動させる。レーザー変位計２２は、レーザーを用いて共振点（共振周波数）を計測する計測器である。レーザー変位計２２は、一度に測定できるフォーカスポイントが小さいものを用いることが好ましい（例えば、キーエンス製最小表示０．０１μｍ）。
【００６４】
レーザー変位計２２は、レーザーの出射方向がプリント基板１１のチップ抵抗１２実装面に対して垂直になるように、レール２３に吊り下げられている。レール２３は、プリント基板１１のチップ抵抗１２実装面に平行なＸＹ方向に移動可能なように設けられている。これにより、レール２３がＸＹ方向に移動することによって、レーザー変位計２２は、プリント基板１１の表面上をスキャンしながら走査する。
【００６５】
温度サイクル試験を経たプリント基板１１では、はんだ接合部１３に初期亀裂（亀裂１４）が発生している。それゆえ、加振器２１によってプリント基板１１に振動負荷が与え続けられることにより、亀裂１４は徐々に進展する。特に、はんだ接合部１３が鉛フリーはんだからなる場合、鉛フリーはんだは弾性が低いため、亀裂１４が進展し易い。
【００６６】
亀裂１４を有するはんだ接合部１３は、機械構造的に不安定（片持ち梁のような状態）になっている。それゆえ、プリント基板１１全体において、はんだ接合部１３の共振点のみが次第に低下し、周囲との共振点の違いが鮮明になってくる。よって、レーザー変位計２２によって走査しながら共振点の変化を検出するという簡単な計測で、亀裂１４の発生部位を容易かつタイムリーに検出することが可能となる。
【００６７】
なお、共振点の変化を検出する手段としてレーザー変位計２２を用いたが、これに限るものではなく、ドップラー振動計を用いてもよいし、音波計測により共振点の変化を検出してもよい。本実施例では、共振点の変化の検出が非接触方法で行われているので、被試験対象物に物理的ダメージを与えることはなく、実製品についても容易に計測することが可能となる。また、音波計測を行う場合は、亀裂１４の検出を走査することなく行うことが可能である。
【００６８】
また、本実施の形態の複合環境試験では、最初に初期亀裂が発生するまでは温度サイクル試験のみを実施し（ステップＳ１）、次に初期亀裂が発生した後は振動試験のみを実施している（ステップＳ２）ことにより、初期亀裂の発生段階までは温度サイクル負荷の影響を受けて、はんだ接合部１３に熱疲労による亀裂が発生し、初期亀裂が発生した後は振動負荷の影響を受けて、はんだ接合部１３では亀裂が進展する。また、初期亀裂発生の判断基準となるデータベースは、過去に実際に初期亀裂が発生したときに取得した試験データが加えられて更新されているので、予測精度が高い。つまりは、使用実績が高いほど、判断レベルが上がっている。よって、従来の複合環境試験のように温度サイクル試験と振動試験とを混合する場合に比べて、故障メカニズムが明解で、再現性が高い。
【００６９】
したがって、再現性が高い複合環境試験を実施しながら、はんだ接合部１３における亀裂１４の発生部位を検出することになるので、高精度の信頼性評価を行うことが可能となる。
【００７０】
ところで、従来の複合環境試験では、温度サイクル負荷と振動負荷とを同時に与えるために、装置構造の理由から、恒温槽にて温度サイクル試験を行っていた。このため、温度変化率が遅く、サイクルあたりの必要時間が長かった。
【００７１】
これに対し、本実施の形態の複合環境試験では、温度サイクル試験と振動試験とを分離しているので、温度サイクル試験を専用器で行うことが可能となり、試験時間を短縮することが可能となる。
【００７２】
また、はんだ接合部１３に亀裂１４（金属疲労による亀裂）を発生させるためには、振動負荷を与える方法（振動試験）よりも、温度サイクル負荷を与える方法（温度サイクル試験）の方が効果が大きい。これは、温度サイクル負荷がはんだ接合部１３に与えるひずみ量が大きいためである。それゆえ、初期亀裂が発生するまでの間は温度サイクル試験のみを実施することにより、効率良く、はんだ接合部１３に初期亀裂を発生させることが可能となる。
【００７３】
さらに、初期亀裂の発生後は、はんだ接合部１３は機械構造的に不安定になっているので、共振点での振幅が大きくなる。それゆえ、初期亀裂（亀裂１４）を進展させるために振動試験のみを行うことにより、効率良く、亀裂１４を進展させることが可能となっている。つまりは、はんだ接合部１３に初期亀裂を与え、弱点をもたせた後に振動試験を実施することが、結果的に時間短縮につながっている。
【００７４】
したがって、本実施の形態の複合環境試験では、必要最短時間、すなわち従来必要な試験時間よりも短い時間で、はんだ接合部１３の亀裂１４に対する信頼性評価を行うことが可能となる。
【００７５】
（亀裂進展時間の予測）
次に、図４，５を参照しながら、上述した複合環境試験においてレーザー変位計２２にて検出した共振周波数の変化を連続記録し、これを解析することによって、はんだ接合部１３の亀裂１４が進展する時間を予測する方法について説明する。
【００７６】
図４は、レール２３および解析装置３０の一構成例を示すブロック図である。
【００７７】
レール２３は、データ格納部２４およびデータ送信回路２５を備えている。データ格納部２４は、レーザー変位計２２から連続して送られてくるデータ（亀裂１４の発生部位における共振周波数を示すデータ）や、データを取得した位置情報データを順次格納する。これにより、亀裂１４の発生部位における共振周波数の変化が連続して示されているデータが記録される。データ送信回路２５は、データ格納部２４に格納されているデータを解析装置３０に出力する。
【００７８】
解析装置３０は、例えば、解析専用の演算機器であったり、コンピュータに搭載されている解析部などである。解析装置３０は、亀裂発生部位における共振周波数の変化を示すデータを用いて亀裂進展時間を予測する亀裂解析部３１と、メモリ部３６と、出力部３７とを備えている。解析装置３０の亀裂解析部３１が、レール２３のデータ送信回路２５と、有線／無線問わずデータ通信可能に接続されている。
【００７９】
亀裂解析部３１は、データ取得部３２、ＦＦＴ部３３、統計処理部３４、および亀裂進展予測部３５により構成されている。亀裂解析部３１における各部は、次に述べる解析装置３０が亀裂進展時間を予測する際の動作の説明の中で詳細に説明する。
【００８０】
上記構成において、解析装置３０が亀裂進展時間を予測する際の動作を、図５を参照しながら説明すると、以下の通りである。
【００８１】
図５は、亀裂解析部３１の処理の流れを示すフローチャートである。
【００８２】
亀裂解析部３１では、データ取得部３２が、レール２３のデータ送信回路２５から送られてきた亀裂発生部位における共振周波数を示すデータ、および該データを取得した位置情報データを取得し（ステップＳ４１）、メモリ部３６に格納する。なお、データ取得部３２は、亀裂進展時間の予測処理を開始する際に、データ送信回路２５にデータの送信を指示するようにしてもよい。格納処理直後、データ取得部３２は、取得したデータを格納したことをＦＦＴ部３３に通知する。
【００８３】
ＦＦＴ部３３は、データ取得部３２からの通知を受けると、メモリ３６に格納されたデータに対して高速フーリエ変換を行って解析する（ステップＳ４２）。ＦＦＴ部３３は、解析後の結果データ（ＦＦＴデータ）をメモリ部３６に格納する。格納処理直後、ＦＦＴ部３３は、ＦＦＴデータを格納したことを統計処理部３４に通知する。
【００８４】
統計処理部３４は、ＦＦＴ部３３からの通知を受けると、メモリ３６に格納されたＦＦＴデータに対して統計処理を行う（ステップＳ４３）。具体的には、統計処理部３４は、ＦＦＴデータに対して、周波数変化量と時間との関係を統計処理し、近似関数を求め、統計処理後の結果データ（統計処理データ）をメモリ部３６に格納する。
【００８５】
ここで、統計処理部３４は、共振点の移行特性（例えば、時間に対してどのくらいの速度で変化するかなど。）を分析収録し、メモリ部３６に独自のデータベースを構築している。つまりは、試験実施した情報が、逐次蓄積されることでデータベース化されている。したがって、初期使用時は比較対象が無いが、テストランを繰り返すことによって、処理精度が高まる。格納処理直後、統計処理部３４は、統計処理データを格納したことを亀裂進展予測部３５に通知する。
【００８６】
亀裂進展予測部３５は、統計処理部３４からの通知を受けると、メモリ３６に格納された統計処理データを参照して、亀裂進展時間を予測する（ステップＳ４４）。具体的には、亀裂進展予測部３５は、統計処理データと、メモリ部３６に予め格納されている蓄積データとを比較して、亀裂１４が破断に至るまでの進展時間を予測する。なお、亀裂進展予測部３５は、上記進展時間を予測し、故障判断を行ってもよい。亀裂進展予測部３５は、予測後の結果データ（予測データ）を、メモリ部３６に格納するとともに、出力部３７に出力する。
【００８７】
なお、上記蓄積データは、過去に算出（取得）した、亀裂に関するパラメータ（例えば、形状や位置など）と亀裂進展時間との関係が蓄積されている亀裂情報データであり、統計処理部３４により構築されるデータベースと同様のデータ構造で、予備テストにより蓄積されている。
【００８８】
出力部３７は、亀裂進展予測部３５から送られてきた予測データを受け取ると、例えば、プリント出力したり、画面に表示したりする。これにより、亀裂１４の進展時間を予測した結果を得ることが可能となる。
【００８９】
このようにして得られた亀裂１４の進展時間の予測結果は、再現性が高い複合環境試験中に亀裂発生部位を高精度で検出して取得したデータに基づいて算出されている。それゆえ、予測した進展時間（予測寿命）の精度を向上するとともに、優れた信頼性を実現することが可能となる。また、亀裂１４の進展時間を予測することにより、亀裂１４の進展が早期の段階で、故障を検出することが可能となる。
【００９０】
最後に、亀裂解析部３１の各ブロックは、ハードウェアロジックによって構成してもよいし、次のようにＣＰＵを用いてソフトウェアによって実現してもよい。
【００９１】
すなわち、亀裂解析部３１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである亀裂解析部３１の制御プログラムのプログラムコード（実行形式プログラム、中間コードプログラム、ソースプログラム）をコンピュータで読み取り可能に記録した記録媒体を、上記亀裂解析部３１に供給し、そのコンピュータ（またはＣＰＵやＭＰＵ）が記録媒体に記録されているプログラムコードを読み出し実行することによっても、達成可能である。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９３】
また、亀裂解析部３１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９５】
本発明は、温度サイクル試験と振動試験とを組み合わせた複合環境試験に関する分野に好適に用いることができるだけでなく、電気電子機器に搭載されている回路基板のはんだ接合部に対する信頼性評価技術の分野にも広く用いることができる。
【図面の簡単な説明】
【００９６】
【図１】本発明にかかる複合環境試験方法にて評価する被試験対象物の一構成例を示す断面図である。
【図２】本発明にかかる複合環境試験方法の処理フローを示すフローチャートである。
【図３】本発明にかかる故障検出方法において実施する試験状態を示す図である。
【図４】上記故障検出方法において用いるレールおよび解析装置の一構成例を示すブロック図である。
【図５】上記解析装置に備えられた亀裂解析部の処理フローを示すフローチャートである。
【符号の説明】
【００９７】
１１  プリント基板（電子部品実装基板）
１２  チップ抵抗
１３  はんだ接合部
１４  亀裂
２１  加振器
２２  レーザー変位計
２３  レール
２４  データ格納部
２５  データ送信回路
３０  解析装置
３１  亀裂解析部
３２  データ取得部
３３  ＦＦＴ部
３４  統計処理部
３５  亀裂進展予測部
３６  メモリ部
３７  出力部
【図１】
0005097023.tif 000002
【図２】
0005097023.tif 000003
【図３】
0005097023.tif 000004
【図４】
0005097023.tif 000005
【図５】
0005097023.tif 000006